(57)【要約】      （修正有）【課題】時間帯に応じて機器立ち上がり時の動作音を低減できる画像形成装置、動作音低減方法、及び動作音低減プログラムを提供する。【解決手段】画像形成装置は、当該装置が立ち上がったときに、動作音の低減を実施する時間帯であるか否かを判定する時間帯判定手段４１と、時間帯判定手段４１による判定結果に基づいて、立ち上がり時に行う初期調整により発生する動作音を低減する動作音低減手段４２と、を有している。【選択図】図８
2010213003.tif 000002
【特許請求の範囲】
【請求項１】
当該画像形成装置が立ち上がったときに、動作音の低減を実施する時間帯であるか否かを判定する時間帯判定手段と、
前記時間帯判定手段による判定結果に基づいて、立ち上がり時に行う初期調整により発生する動作音を低減する動作音低減手段と、を有することを特徴とする画像形成装置。
【請求項２】
当該画像形成装置の立ち上がり時刻を取得する時刻取得手段を有し、
前記時間帯判定手段は、
前記時刻取得手段により取得された前記立ち上がり時刻と、予め設定しておいた開始・終了時刻とに基づき、動作音の低減を実施する時間帯であるか否かを判定することを特徴とする請求項１に記載の画像形成装置。
【請求項３】
前記動作低減手段は、
前記初期調整を行う際に動作する駆動デバイスの駆動速度を制御することで、前記動作音を低減することを特徴とする請求項１又は２に記載の画像形成装置。
【請求項４】
前記動作低減手段は、
前記駆動デバイスの駆動速度を、通常動作時の駆動速度より遅くなるように制御することで、前記動作音を低減することを特徴とする請求項１ないし３のいずれか一項に記載の画像形成装置。
【請求項５】
前回正常に行われた初期調整の調整値を保持する前回調整値保持手段を有し、
前記動作低減手段は、
前記前回調整値保持手段で保持する前回調整値を、前記立ち上がり時の調整値として設定し、初期調整を行うことで、前記動作音を低減することを特徴とする請求項１ないし４のいずれか一項に記載の画像形成装置。
【請求項６】
初期調整のデフォルト値を保持するデフォルト調整値保持手段を有し、
前記動作低減手段は、
前記デフォルト調整値保持手段で保持するデフォルト調整値を、前記立ち上がり時の調整値として設定することで、前記動作音を低減することを特徴とする請求項１ないし５のいずれか一項に記載の画像形成装置。
【請求項７】
前記前記前回調整値保持手段が前記前回調整値を保持しているか否かを判定する前回調整値有無判定手段を有し、
前記動作低減手段は、
前記前回調整値有無判定手段による判定結果に基づいて、前記デフォルト調整値を、前記立ち上がり時の調整値として設定することを特徴とする請求項５又は６に記載の画像形成装置。
【請求項８】
前記動作低減手段は、
前記前回調整値有無判定手段により、前記前回調整値を保持していないと判定された場合に、
前記デフォルト調整値を、前記立ち上がり時の調整値として設定することを特徴とする請求項５ないし７のいずれか一項に記載の画像形成装置。
【請求項９】
所定期間の経過による前記初期調整の要否を判定する初期調整要否判定手段を有し、
前記動作低減手段は、
前記初期調整要否判定手段による判定結果に基づいて、前記動作音を低減することを特徴とする請求項１ないし８のいずれか一項に記載の画像形成装置。
【請求項１０】
前記動作低減手段は、
前記初期調整要否判定手段により、前記初期調整の必要がないと判定された場合に、
前記前回調整値又は前記デフォルト調整値を、前記立ち上がり時の調整値として設定することを特徴とする請求項９に記載の画像形成装置。
【請求項１１】
画像形成装置が立ち上がったときに、動作音の低減を実施する時間帯であるか否かを判定する時間帯判定手順と、
前記時間帯判定手順による判定結果に基づいて、立ち上がり時に行う初期調整により発生する動作音を低減する動作音低減手順と、を有することを特徴とする動作音低減方法。
【請求項１２】
コンピュータを、
画像形成装置が立ち上がったときに、動作音の低減を実施する時間帯であるか否かを判定する時間帯判定手段と、
前記時間帯判定手段による判定結果に基づいて、立ち上がり時に行う初期調整により発生する動作音を低減する動作音低減手段として機能させる動作音低減プログラム。
【発明の詳細な説明】
【技術分野】
【０００１】
本発明は、画像形成装置に関し、特に、動作音を低減する技術に関するものである。
【背景技術】
【０００２】
複合機（ＭＦＰ：Multifunction Peripheral）などの画像形成装置は、提供機能実現のために多くの駆動デバイスを備えており、例えば立ち上がり時や稼働時に動作音が発生する。
【０００３】
近年、画像形成装置は、小規模オフィスや家庭などで使用されるケースが増えてきている。このような設定場所では、上記画像形成装置の動作音が、例えば夜間のような静寂性が要求される時間帯に発生すると、ユーザや近隣住民にとって騒音となる。
【０００４】
今後は、画像形成装置の利用がより多様化することが考えられ、画像形成装置に対して動作音の低減が望まれる。
【０００５】
そこで、例えば特許文献１のような動作音低減に関する技術が提案されている。
【発明の概要】
【発明が解決しようとする課題】
【０００６】
しかしながら、従来の動作音低減方法は、時間帯を考慮して動作音を低減するものではなかった。
【０００７】
例えば、特許文献１には、周囲の音のレベルをモニタし、音のレベルに応じてモータなど駆動デバイスの駆動速度を低下させ、動作音を低減させる画像形成装置が提案されている。
【０００８】
しかし、上記低減方法は、動作音を低減したい時間帯であっても、周囲の音のレベルが大きければ、動作音を低減させることができない。例えば、日中において、周囲の音のレベルが夜間より高いものの、会議を行いたいため、同室に設置された画像形成装置の動作音を低減したいときがある。このような場合、上記低減方法では、ユーザが望むレベルにまで、動作音を低減させることができない。このように、動作音を低減したい時間帯と、周囲の音のレベルとは、必ずしも連動するものではない。
【０００９】
また、画像形成装置では、通常動作時と、電源投入時や省エネモード復帰時など（立ち上がり直後）とで、動作音の発生が異なる。
【００１０】
立ち上がり直後は、搭載デバイスの初期調整を実施するため、通常動作時よりも動作音が大きくなる傾向がある。立ち上がり直後は、搭載デバイスのうち調整が必要なデバイス全てにおいて初期調整が始まると電力容量が不足するため、調整するデバイスの排他制御やシーケンス制御により所定の電力量を超過しないようにする必要がある。
【００１１】
その中で、画像形成装置では、定着の温度上昇やスキャナランプの光量安定などを行うことから、初期調整が終了するまでに要する時間（初期調整時間）が長くなってしまう。
【００１２】
そのため、通常動作時に比べて立ち上がり時では、調整時間がかかり、長時間にわたって動作音が発生してしまう問題がある。
【００１３】
本発明は上記従来技術の問題点を鑑み提案されたものであり、その目的とするところは、時間帯に応じて機器立ち上がり時の動作音を低減できる画像形成装置、動作音低減方法、及び動作音低減プログラムを提供することにある。
【課題を解決するための手段】
【００１４】
上記目的を達成するため、本発明に係る画像形成装置は、当該画像形成装置が立ち上がったときに、動作音の低減を実施する時間帯であるか否かを判定する時間帯判定手段と、前記時間帯判定手段による判定結果に基づいて、立ち上がり時に行う初期調整により発生する動作音を低減する動作音低減手段と、を有している。
【００１５】
このような構成によって、本発明に係る画像形成装置は、現在時刻及び設定時刻から動作音低減を実施する時間帯を判断し、判断結果に基づき、電源投入時やシャットダウン復帰時などの機器立ち上がり時の動作音を低減する。
【００１６】
これによって、本発明に係る画像形成装置は、時間帯に応じて機器立ち上がり時の動作音を低減できる。
【００１７】
上記目的を達成するため、本発明に係る動作音低減方法は、画像形成装置が立ち上がったときに、動作音の低減を実施する時間帯であるか否かを判定する時間帯判定手順と、前記時間帯判定手順による判定結果に基づいて、立ち上がり時に行う初期調整により発生する動作音を低減する動作音低減手順と、を有している。
【００１８】
このような手順によって、本発明に係る動作音低減方法は、現在時刻及び設定時刻から動作音低減を実施する時間帯を判断し、判断結果に基づき、電源投入時やシャットダウン復帰時などの機器立ち上がり時の動作音を低減すると言う動作を実現する。
【００１９】
これによって、本発明に係る動作音低減方法は、時間帯に応じて機器立ち上がり時の動作音を低減可能な環境を提供できる。
【発明の効果】
【００２０】
本発明によれば、時間帯に応じて機器立ち上がり時の動作音を低減可能な画像形成装置、動作音低減方法、及び動作音低減プログラムを提供することができる。
【図面の簡単な説明】
【００２１】
【図１】本発明の実施形態に係る画像形成装置の画像形成動作に関するハードウェア構成例を示す図である。
【図２】本発明の実施形態に係る画像形成装置のハードウェア構成例を示す図である。
【図３】本発明の実施形態に係るスキャナ部のハードウェア構成例を示す図である。
【図４】本発明の実施形態に係るスキャナ部における立ち上がり時の初期調整に関わるハードウェア構成例を示す図である。
【図５】本発明の実施形態に係る初期調整を行う処理手順例を示すフローチャートである。
【図６】本発明の実施形態に係る黒レベル調整を行う処理手順例を示すフローチャートである。
【図７】本発明の実施形態に係る白レベル調整を行う処理手順例を示すフローチャートである。
【図８】本発明の第１の実施形態に係る画像形成装置が有する機能構成例を示す図である。
【図９】本発明の第１の実施形態に係る静音モード有効期間の設定画面例を示す図である。
【図１０】本発明の第１の実施形態に係る立ち上がり時の動作音を低減する処理手順例を示すフローチャートである。
【図１１】本発明の第２の実施形態に係る画像形成装置が有する機能構成例を示す図である。
【図１２】本発明の第２の実施形態に係る調整値（黒レベル調整／白レベル調整）の設定画面例を示す図である。
【図１３】本発明の第２の実施形態に係る立ち上がり時の動作音を低減する処理手順例（その１）を示すフローチャートである。
【図１４】本発明の第２の実施形態に係る立ち上がり時の動作音を低減する処理手順例（その２）を示すフローチャートである。
【図１５】本発明の第３の実施形態に係る画像形成装置が有する機能構成例を示す図である。
【図１６】本発明の第３の実施形態に係る再調整間隔の設定画面例を示す図である。
【図１７】本発明の第３の実施形態に係る立ち上がり時の動作音を低減する処理手順例を示すフローチャートである。
【発明を実施するための形態】
【００２２】
以下、本発明の好適な実施の形態（以下、「実施形態」と言う。）について、図面を用いて詳細に説明する。
【００２３】
＜装置構成＞
本実施形態に係る画像形成装置の画像形成動作について説明する。
【００２４】
図１は、本実施形態に係る画像形成装置１０００の画像形成動作に関わるハードウェア構成例を示す図である。原稿は、ＡＳＦ（Auto Sheet Feeder）１００により自動的に送られる。原稿は、スキャナ部１０１により読み取られる。
【００２５】
記録紙（用紙）は、給紙トレイ１０５及び／又はＬＣＴ（Large Capacity Tray）１０６から給紙後、プロセス部１０２（例え「電子写真プロセス部」）に搬送される。書き込み部１０３は、ＬＤ（Laser Diode）発光により感光体（像担持体）を露光し、読み取り画像の潜像を形成する。感光体表面に形成された潜像は、プロセス部１０２を介して現像され、搬送された記録紙に転写後、定着される。転写された記録紙は、排紙部１０４を介して排紙トレイへ出力される。
【００２６】
次に、上記画像形成装置１０００のハードウェア構成について説明する。
図２は、本実施形態に係る画像形成装置１０００のハードウェア構成例を示す図である。図２に示すように、画像形成装置１０００は、コントローラ５０、操作部６１、プロッタ部６２、及びスキャナ部１０１などを備え、それぞれが相互にバスＢで接続されている。
【００２７】
操作部６１は、表示部及び入力部を備えており、機器情報などの各種情報をユーザに提供したり、動作設定や動作指示などの各種ユーザ操作を受け付けたりする。
【００２８】
プロッタ部６２は、上記プロセス部１０２及び上記書き込み部１０３などを備えており、記録紙に出力画像を形成する。
【００２９】
スキャナ部１０１は、上述したように、原稿画像の読み取りを行なう。
【００３０】
コントローラ５０は、ＣＰＵ（Central Processing Unit）５１、記憶装置５２、ネットワークＩ／Ｆ５３、及び外部記憶Ｉ／Ｆ５４などを備えており、それぞれが相互にバスＢで接続されている。
【００３１】
ＣＰＵ５１は、プログラムを実行することにより各種機能の実現や装置全体を制御する。また、記憶装置５２は、上記プログラムや各種データ（例えば「画像データ」）を格納し保持する。例えば、記憶装置５２は、揮発性のメモリであるＲＡＭ（Random Access Memory）、不揮発性のメモリであるＲＯＭ（Read Only Memory）、及び大容量の記憶領域を備えたＨＤＤ（Hard Disk Drive）などを含む。ＲＡＭは、ＣＰＵ５１のワークエリア（プログラムやデータが一時的に読み出される記憶エリア）として機能する。ＲＯＭやＨＤＤは、プログラムや各種データの格納先として用いられる。これにより、画像形成装置１０００では、ＣＰＵ５１により、ＲＯＭやＨＤＤに格納されたプログラムをＲＡＭ上に読み出し、プログラムの実行が行える。
【００３２】
ネットワークＩ／Ｆ５３は、電気通信回線などの所定のデータ伝送路を接続するためのインタフェースである。例えば、データ伝送路は、ＬＡＮ（Local Area Network）などのネットワークなどである。
【００３３】
外部記憶Ｉ／Ｆ５４は、外部記憶装置にあたる記録媒体７１を接続するためのインタフェースである。例えば、外部記憶装置は、ＳＤメモリカード（SD Memory Card）やＵＳＢ（Universal Serial Bus）メモリなどである。これにより、画像形成装置１０００では、記録媒体７１に格納されたプログラムやデータを読み込める。
【００３４】
画像形成装置１０００は、上記ハードウェア構成により、コントローラ５０は、ＣＰＵ５１により所定のプログラムを実行し、バスＢを介して、操作部６１、プロッタ部６２、及びスキャナ部１０１などの各種デバイスと非同期にデータ通信を行い、当該装置全体を制御する。これにより、上述したような画像形成動作を実現している。
【００３５】
なお、本実施形態では、便宜上、動作音を低減する制御対象装置（動作音が発生するデバイス）を、上記スキャナ部１０１として説明するが、この内容に本発明が限定されるものではない。
【００３６】
図３は、本実施形態に係るスキャナ部１０１のハードウェア構成例を示す図である。図３に示すように、スキャナ部１０１は、搬送ベルト１、コンタクトガラス（原稿載置台）２、ファン３、ヒータ４、ＡＰＳ（Auto Paper Select）５及び６、ランプ７、モータ８、ＨＰＳ（Home Position Sensor）９、基準白板１０、レンズ１１、センサボード１２、制御・処理ボード１３、スケール１４、キャリッジ１５及び１６、ミラー１７、１８、及び１９などを備えている。
【００３７】
搬送ベルト１は、ＡＳＦ１００が備える原稿の搬送部材である。コンタクトガラス２は、原稿を載置するガラスである。ファン３は、冷却用のファンである。ヒータ４は、結露防止用の熱源である。
【００３８】
ＡＰＳ５及び６は、原稿サイズを検知するセンサである。ランプ７は、反射光により画像を読み取るための原稿を照らす光源である。ミラー１７、１８、及び１９は、原稿面からの反射光をＣＣＤ（Charge Coupled Device）に導くための反射鏡である。
【００３９】
キャリッジ１５及び１６は、ランプ７及びミラー１７、１８、１９を積載した光学系ユニットである。キャリッジ１５及び１６を副走査方向へ移動させることにより原稿面の走査位置を変更する。なお、キャリッジ１６は、キャリッジ１５の駆動に伴って動作する。このとき、キャリッジ１６は、キャリッジ１５の移動速度に対して１／２の相対速度で移動する。モータ８は、光学系ユニットを所定の走査方向に移動するための駆動モータである。
【００４０】
ＨＰＳ９は、光学系ユニットの位置を決めるセンサである。基準白板１０は、読み取り濃度の基準となる白板である。レンズ１１は、原稿面からの反射光をＣＣＤに結像するためのレンズである。
【００４１】
センサボード１２は、ＣＣＤを備えており、原稿面からの反射光の強弱に基づく信号をデジタルデータに変換する処理（画像信号の読み取り）及び後述する黒レベル・白レベルの各調整処理などを行う演算ボードである。制御・処理ボード１３は、モータ８の駆動制御及び読み取り画像の画像処理を行う演算ボードである。
【００４２】
＜立ち上がり時の初期調整処理＞
次に、上記スキャナ部１０１において動作音が発生する処理（立ち上がり時の初期調整処理）について説明する。
【００４３】
図４は、本実施形態に係るスキャナ部１０１における立ち上がり時の初期調整に関わるハードウェア構成例を示す図である。
【００４４】
図４（Ａ）に示すように、スキャナ部１０１では、制御ＣＰＵ２１、ＮＶＲＡＭ（Non Volatile RAM）２２、モータドライバ２３、及び画像処理部２４などを備える上記制御・処理ボード１３により、立ち上がり時の初期調整処理が行われる。
【００４５】
制御ＣＰＵ２１は、スキャナ部１０１全体の制御を行う。ＮＶＲＡＭ２２は、スキャナ部１０１が動作するための各種データ（例えば「黒レベル・白レベルの各調整値」）を記憶する。モータドライバ２３は、制御ＣＰＵ２１がモータ８を駆動するためのドライバである。画像処理部２４は、センサボード１２から入力された読み取り画像のデータに対して所定の画像処理（例えば「黒レベル・白レベル検出」）を行う。
【００４６】
制御ＣＰＵ２１は、上記ＮＶＲＡＭ２２、センサボード１２、及び画像処理部２４との間で制御信号及び各種データのやり取りを行う。さらに、制御ＣＰＵ２１は、ＨＰＳ９からの出力信号を受け取り、モータドライバ２３を介してモータ８の駆動を制御することで、スキャナ部１０１における初期調整処理の動作を制御する。
【００４７】
なお、図４（Ｂ）に示すように、センサボード１２内のエレキ構成としては、ＣＣＤ２６、信号処理部２７、ＣＰＵＩ／Ｆ２８、タイミングジェネレータ２９、ドライバ３０、ランダムロジック＆ディレイライン３１などが含まれる。
【００４８】
ＣＣＤ２６は、原稿面からの反射光（又は透過光）を電気信号に変換する。信号処理部２７は、ＣＣＤ２６からの出力信号の黒レベル・白レベルなどを規定し、デジタルデータに変換する。
【００４９】
ＣＰＵＩ／Ｆ２８は、制御ＣＰＵ２１と各種信号及びデータのやり取りを行うインタフェースである。タイミングジェネレータ２９は、ＣＣＤ２６の駆動及び信号処理部２７のタイミング信号を発生する。ドライバ３０は、ＣＣＤ２６を駆動する。ランダムロジック＆ディレイライン３１は、各タイミング信号を細かく調整する。
【００５０】
黒レベル・白レベルの調整は、まず、制御ＣＰＵ２１から送られるコマンド・データをＣＰＵＩ／Ｆ２８が解釈し、ＣＰＵＩ／Ｆ２８からＶＤＣ及びＧＣＡに送られる。
【００５１】
ＶＤＣでは、ＶＧＡからの出力信号を交流結合し、ＣＰＵＩ／Ｆ２８の指示に従ってＤＣクランプするレベルを変化させ、黒レベルの調整を行う（黒レベルを変化させる）。また、ＧＣＡも同様に、ＣＰＵＩ／Ｆ２８の指示に従って画像信号を増幅するゲインを変化させ、白レベルの調整を行う（白レベルを変化させる）。
【００５２】
具体的には、スキャナ部１０１は、図５に示す処理手順により、キャリッジ１５及び１６、ランプ７の制御、ならびに黒レベル・白レベルの調整を行う。
【００５３】
図５は、本実施形態に係る初期調整を行う処理手順例を示すフローチャートである。スキャナに１０１は、電源投入またはシャットダウン復帰などの立ち上がり時に処理を開始する。
【００５４】
スキャナ部１０１は、まず各処理に先立ち、必要な初期値を設定する（ステップＳ１）。
【００５５】
続いて、スキャナ部１０１は、ホーミング、すなわちキャリッジ１５及び１６の基準位置の検出（駆動原点の決定）を行い（ステップＳ２）、ランプ７を点灯し自動調節に備える（ステップＳ３）。
【００５６】
続いて、スキャナ部１０１は、キャリッジ１５を基準白板１０の下に移動し（ステップＳ４）、ＣＣＤ２６の出力信号からＯＰＢ部のレベルを読み取り、このレベル（黒レベル）が目標値（予め定めておいた黒レベル許容範囲内）となるように調整する（ステップＳ５）。
【００５７】
また、スキャナ部１０１は、ＣＣＤ２６の出力信号から有効画素領域の最大値を読み取り、このレベル（白レベル）が目標値（予め定めておいた白レベル許容範囲内）となるように調整する（ステップＳ６）。
【００５８】
スキャナ部１０１は、キャリッジ１５及び１６をスタンバイ位置に移動し（ステップＳ７）、ランプ７を消灯する（ステップＳ８）。
【００５９】
スキャナ部１０１は、これにより初期調整（黒レベル・白レベル調整）を終了し、スタンバイ状態となる。
【００６０】
以下に、上記ステップＳ５及びＳ６に示した黒レベル・白レベルの検出・調整処理について詳細に説明する。
【００６１】
図６は、本実施形態に係る黒レベル調整を行う処理手順例を示すフローチャートである。スキャナ部１０１は、まず、黒レベル調整に関わる初期値を設定する（ステップＳ１０）。
【００６２】
続いて、スキャナ部１０１は、現在の黒レベル（ＯＰＢ部のレベル）を読み取り（ステップＳ１１）、読み取った黒レベルが規定範囲内か否かを判断する（ステップＳ１２）。
【００６３】
ステップＳ１２において、規定範囲内であると判断された場合には（ステップＳ１２：ＹＥＳ）、前回の黒レベル調整が正しく行われているものとし、前回の調整値（正常調整値）及び前回の調整日時を、ＮＶＲＡＭ２２に保存する（ステップＳ２１及びＳ２２）。
【００６４】
スキャナ部１０１は、その後、黒レベル調整を終了する。
【００６５】
一方、ステップＳ１２において、規定範囲外であると判断された場合には（ステップＳ１２：ＮＯ）、調整を続ける。
【００６６】
スキャナ部１０１は、読み取った黒レベル（現在値）及び目標とする黒レベル（目標値）に基づき、黒レベルの設定値を算出する（ステップＳ１３）。
【００６７】
スキャナ部１０１は、算出した設定値が設定可能範囲内か否かを判断する（ステップＳ１４）。
【００６８】
ステップＳ１４において、設定可能範囲外と判断された場合には（ステップＳ１４：ＮＯ）、算出された設定値に対して設定可能範囲内で制限をかける（ステップＳ１５）。
【００６９】
設定可能範囲制限後、またはステップＳ１４において、設定可能範囲内と判断された場合、スキャナ部１０１は、黒レベル設定、黒レベル読み取り、設定値算出のループ回数が規定回数以内か否かを判断する（ステップＳ１６）。
【００７０】
ステップＳ１６において、規定回数以内であると判定された場合には（ステップＳ１６：ＹＥＳ）、算出された設定値をセンサボード１２に設定し（ステップＳ１７）、再度黒レベルの読み取りを行う（ステップＳ１１）。
一方、ステップＳ１６において、規定回数に達した（又は超過した）と判断された場合には（ステップＳ１６：ＮＯ）、スキャナ部１０１は、規定回数に達した処理が最初の黒レベル調整の処理であるか否か（前回黒レベル調整が正常に行われたか否か）を判断する（ステップＳ１８）。
【００７１】
ステップＳ１８において、最初の黒レベル調整の処理であると判断された場合には（ステップＳ１８：ＹＥＳ）、画像形成装置１０００が備える操作部６１にエラー表示を行い、機器を停止する（ステップＳ１９）。
【００７２】
一方、ステップＳ１８において、前回黒レベル調整の処理が正常に行われたと判断された場合には（ステップＳ１８：ＮＯ）、スキャナ部１０１は、前回の調整値で設定し（ステップＳ２０）、黒レベル調整を終了する。
【００７３】
図７は、本実施形態に係る白レベル調整を行う処理手順例を示すフローチャートである。なお、図７に示す各処理手順は、図６を用いて黒レベル調整を行う処理手順と同じであることから、ステップＳ３０からＳ４２をステップＳ１０からＳ２２に置き換えることで、ここでの説明は省略する。
【００７４】
このよう、スキャナ部１０１では、立ち上がり時に、黒レベル・白レベルの各読み取り値が目標値へと動的に初期調整される。
【００７５】
このとき、スキャナ部１０１では、図５に示したように、ファン３、キャリッジ１５及び１６、ならびにモータ８などの各種デバイス（以下、「駆動デバイス」と言う。）が駆動することにより動作音が発生する。さらに、スキャナ部１０１では、図６及び図７に示したように、黒レベル・白レベルの各読み取り値が所定の許容範囲内の目標値へと収束するまでループ処理が行われ、通常動作時に比べて処理時間がかかる。つまり、立ち上がり時は、通常動作時に比べて、動作音が発生している時間が長くなる。
【００７６】
以降に示す各実施形態では、画像形成装置１０００が有する立ち上がり時における動作音を軽減する機能（以下、「動作音低減機能」と言う。）について、上記スキャナ部１０１の動作音を低減する場合を例に説明する。
【００７７】
［第１の実施形態］
上記画像形成装置１０００が有する動作音低減機能について説明する。
【００７８】
＜動作音低減機能＞
第１の実施形態に係る画像形成装置１０００では、現在時刻及び設定時刻から動作音低減を実施する時間帯を判断する。画像形成装置１０００は、判断結果に基づき、電源投入時やシャットダウン復帰時などの機器立ち上がり時の動作音を低減する。画像形成装置１０００は、このような動作音低減機能を有している。
【００７９】
さらに、画像形成装置１０００では、駆動デバイスの速度調整により動作音を低減している。
【００８０】
これによって、第１の実施形態に係る画像形成装置１０００は、時間帯に応じて機器立ち上がり時の動作音を低減できる。
【００８１】
以下に、上記動作音低減機能の構成とその動作について説明する。
図８は、第１の実施形態に係る画像形成装置１０００が有する機能構成例を示す図である。
【００８２】
図８に示すように、画像形成装置１０００は、時間帯判定部４１及び動作音低減部４２などを有している。
【００８３】
時間帯判定部４１は、当該装置の立ち上がり時に、現在時刻及び設定時刻から動作音低減を実施する時間帯を判定する。時間帯判定部４１は、まず現在時刻（当該装置が立ち上がったときの時刻）を取得する。現在時刻は、例えばコントローラ５０が備える時計回路から取得できる。続いて、時間帯判定部４１は、予め設定しておいた動作音を低減する静音モードの有効期間（動作音低減を実施する時間帯）の設定時刻を取得する。静音モード有効期間は、例えば図９に示すような画面から設定できる。
【００８４】
図９は、第１の実施形態に係る静音モード有効期間の設定画面例を示す図である。画像形成装置１０００では、操作部６１に、図９に示すような設定画面が表示される。ユーザは、上記設定画面を介して、動作音を低減させたい特定の時間帯（開始時刻及び終了時刻）を設定する。設定時刻は、ＮＶＲＡＭ２２に保存される。図９には、開始時刻［２０：００］（午後８：００）及び終了時刻［０８：００］（翌午前８：００）が、静音モード有効期間として設定されている例が示されている。
【００８５】
時間帯判定部４１は、取得した現在時刻が、取得した開始時刻から終了時刻の期間内か否かに基づき、現在、動作音低減を実施する時間帯であるか否かを判定する。時間帯判定部４１は、現在時刻が開始時刻から終了時刻の期間内であった場合、動作音低減を実施する時間帯であると判定する。また、時間帯判定部４１は、現在時刻が開始時刻から終了時刻の期間外であった場合、動作音低減を実施する時間帯でないと判定する。
【００８６】
動作音低減部４２は、電源投入時やシャットダウン復帰時などの機器立ち上がり時の動作音を低減する。つまり、動作音低減部４２は、静音モードの動作を実行する。
【００８７】
動作音低減部４２は、時間帯判定部４１により、現在が動作音低減を実施する時間帯であると判定された場合、動作音を低減するように駆動デバイスＳを制御する。そのため、動作音低減部４２は、制御対象装置である駆動デバイスＳに対して駆動速度の調整を行う速度調整部４２１を有している。
【００８８】
例えば、スキャナ部１０１の場合、上記駆動デバイスＳは、ファン３、キャリッジ１５及び１６、ならびにモータ８などである。速度調整部４２１は、これらの駆動デバイスＳの駆動速度（例えば「回転数」）を、通常動作時より遅くなるように制御する。つまり、速度調整部４２１は、立ち上がり時の駆動デバイスＳを、通常動作時の回転数より少ない回転数で動作させる。これにより、駆動デバイスＳが動作する際の動作音を通常動作時より低減することができる。なお、上記回転数は、駆動デバイスＳの制御値として予め設定されＮＶＲＡＭ２２に保存されている。よって、速度調整部４２１は、ＮＶＲＡＭ２２から上記制御値を読み出し、制御値に従って駆動デバイスＳの駆動速度を調整する。
【００８９】
このように、第１の実施形態に係る動作音低減機能は、上記各機能部が連係動作することにより実現される。
【００９０】
次に、動作音低減機能の詳細な動作（機能部群の連係動作）について、処理手順を示すフローチャートを用いて説明する。
【００９１】
動作音低減機能は、画像形成装置１０００に搭載（インストール）される動作音低減プログラム（ソフトウェア部品）が、制御ＣＰＵ２１により、格納先（例えば「ＲＯＭ」や「ＮＶＲＡＭ」など）からＲＡＭ上に読み出され、以下の処理が実行されることで実現される。
【００９２】
図１０は、第１の実施形態に係る動作音を低減する処理手順例を示すフローチャートである。
【００９３】
画像形成装置１０００は、時間帯判定部４１により、現在時刻Ｔをコントローラ５０から取得する（ステップＳ１０１）。
【００９４】
続いて、画像形成装置１０００は、時間帯判定部４１により、静音モードの設定時間帯（開始時刻Ｔ１及び終了時刻Ｔ２）をＮＶＲＡＭ２２から取得する（ステップＳ１０２）。
【００９５】
画像形成装置１０００は、時間帯判定部４１により、現在時刻Ｔ及び静音モードの設定時間帯（静音モード有効期間）に基づいて、現在時刻Ｔが静音モード有効期間内（Ｔ１＜Ｔ＜Ｔ２）であるか否かを判定する（ステップＳ１０３）。
【００９６】
ステップＳ１０３において、現在時刻Ｔが静音モード有効期間内であると判定された場合には（ステップＳ１０３：ＹＥＳ）、動作音低減部４２により、静音モードの動作が実行される（ステップＳ１０４）。
【００９７】
このとき、画像形成装置１０００では、図５のステップＳ１からＳ８に示した各処理手順が実行される。その中で、動作音低減部４２が有する速度調整部４２１は、ＮＶＲＡＭ２２から、立ち上がり時における動作音低減用の制御値を読み出し、駆動デバイスＳ（ファン３、キャリッジ１５及び１６、ならびにモータ８など）の駆動速度（回転数）を調整する。具体的には、図５のステップＳ４からＳ７の各処理手順において、駆動デバイスＳを低速で動作させる。
【００９８】
一方、ステップＳ１０３において、現在時刻Ｔが静音モード有効期間外であると判定された場合には（ステップＳ１０３：ＮＯ）、通常モードの動作が実行される（ステップＳ１０５）。ここで言う通常モードとは、図５のステップＳ１からＳ８に示した各処理手順の実行（通常の立ち上がり時における動作）を行うモードである。
【００９９】
＜まとめ＞
以上のように、第１の実施形態に係る画像形成装置１０００によれば、時間帯判定部４１が、現在時刻及び設定時刻から動作音低減を実施する時間帯（静音モード有効期間）を判断する。続いて、画像形成装置１０００は、時間帯判定部４１による判断結果に基づき、動作音低減部４２が、速度調整部４２１により、動作音を低減するように駆動デバイスＳの速度を制御する。
【０１００】
これによって、画像形成装置１０００では、動作音の発生原因である駆動デバイスＳを通常動作時より低速に動作させて立ち上がり時の初期調整処理が行え、時間帯に応じて、電源投入時やシャットダウン復帰時などの機器立ち上がり時の動作音を低減できる。
【０１０１】
［第２の実施形態］
第２の実施形態では、初期調整が正常に行われた前回調整値又はデフォルト値を設定し、駆動デバイスＳを動作させることなく立ち上がり時の初期調整処理を行うことで、立ち上がり時の動作音を防ぐ。
【０１０２】
上記画像形成装置１０００が有する動作音低減機能について説明する。
【０１０３】
＜動作音低減機能＞
図１１は、第２の実施形態に係る画像形成装置１０００が有する機能構成例を示す図である。図８と図１１とを比較して分かるように、第１の実施形態と第２の実施形態との機能構成の違いは、動作音低減部４２が、調整値設定部４２２を有している点である。よって、以下の説明では、上記相違点のみを説明する。
【０１０４】
図１１に示すように、動作音低減部４２は、時間帯判定部４１により、現在が動作音低減を実施する時間帯であると判定された場合、調整値設定部４２２が、前回調整値８２又はデフォルト値８１をセンサボード１２に設定する。これにより、立ち上がり時において初期調整を行う際に、動作音発生の原因である駆動デバイスＳを動作させる必要がないため、動作音の発生を防ぐことができる。
【０１０５】
なお、前回調整値８２は、図６のステップＳ２１及び図７のステップＳ４１に示す処理によりＮＶＲＡＭ２２に保存された初期調整が正常に行われた際の調整値である。また、デフォルト値８１は、例えば図１２に示すような画面から設定できる。
【０１０６】
図１２は、第２の実施形態に係る調整値（黒レベル調整／白レベル調整）の設定画面例を示す図である。
【０１０７】
画像形成装置１０００では、操作部６１に、図１２に示すような設定画面が表示される。ユーザは、上記設定画面を介して、機種特性などを考慮した調整値（例えば「設計中央値」）をデフォルト値８１として設定する。設定値は、ＮＶＲＡＭ２２に保存される。図１１には、黒レベル・白レベルの各調整デフォルト値が設定されている例が示されている。
【０１０８】
よって、調整値設定部４２２は、ＮＶＲＡＭ２２から上記前回調整値８２又は上記デフォルト値８１を読み出し、センサボード１２に設定する。
【０１０９】
このように、第２の実施形態に係る動作音低減機能は、上記各機能部が連係動作することにより実現される。
【０１１０】
次に、動作音低減機能の詳細な動作（機能部群の連係動作）について、処理手順を示すフローチャートを用いて説明する。
【０１１１】
動作音低減機能は、画像形成装置１０００に搭載（インストール）される動作音低減プログラム（ソフトウェア部品）が、制御ＣＰＵ２１により、格納先（例えば「ＲＯＭ」や「ＮＶＲＡＭ」など）からＲＡＭ上に読み出され、以下の処理が実行されることで実現される。
【０１１２】
図１３は、第２の実施形態に係る立ち上がり時の動作音を低減する処理手順例（その１）を示すフローチャートである。
【０１１３】
画像形成装置１０００は、時間帯判定部４１により、現在時刻Ｔをコントローラ５０から取得する（ステップＳ２０１）。
【０１１４】
続いて、画像形成装置１０００は、時間帯判定部４１により、静音モードの設定時間帯（開始時刻Ｔ１及び終了時刻Ｔ２）をＮＶＲＡＭ２２から取得する（ステップＳ２０２）。
【０１１５】
画像形成装置１０００では、スキャナ部１０１において、図５のステップＳ１及びＳ２の各処理手順が実行される。具体的には、スキャナ部１０１では、初期調整処理に先立ち、必要な初期値を設定し（ステップＳ２０３）、ホーミング（キャリッジ１５及び１６の基準位置の検出（駆動原点の決定））を行う（ステップＳ２０４）。これらの処理手順は、動作音が発生しない処理のため、初期調整処理において、静音モード及び通常モードの両方に共通し実行される。
【０１１６】
画像形成装置１０００は、時間帯判定部４１により、現在時刻Ｔ及び静音モードの設定時間帯（静音モード有効期間）に基づいて、現在時刻Ｔが静音モード有効期間内（Ｔ１＜Ｔ＜Ｔ２）であるか否かを判定する（ステップＳ２０５）。
【０１１７】
ステップＳ２０５において、現在時刻Ｔが静音モード有効期間外であると判定された場合には（ステップＳ２０５：ＮＯ）、通常モードの動作が実行される（ステップＳ２０６）。ここで言う通常モードとは、図５のステップＳ３からＳ８に示した各処理手順の実行（通常の立ち上がり時における動作）を行うモードである。
【０１１８】
一方、ステップＳ２０５において、現在時刻Ｔが静音モード有効期間内であると判定された場合には（ステップＳ２０５：ＹＥＳ）、動作音低減部４２により、静音モードの動作が実行される。
【０１１９】
このとき、画像形成装置１０００では、動作音低減部４２が有する速度調整部４２１により、ＮＶＲＡＭ２２から調整値のデフォルト値８１を取得し（ステップＳ２１０）、センサボード１２に設定する（ステップＳ２１１）。これにより、画像形成装置１０００では、駆動デバイスＳを動作させることなく立ち上がり時の初期調整処理を行う。
【０１２０】
画像形成装置１０００では、上記各処理手順を終えると、スタンバイ状態となる（ステップＳ２０７）。
【０１２１】
図１４は、第２の実施形態に係る立ち上がり時の動作音を低減する処理手順例（その２）を示すフローチャートである。図１３に示す処理手順との違いは、調整値設定部４２２が、前回調整値８２又はデフォルト値８１どちら設定するか制御する点である。よって、以下の説明では、上記相違点のみを説明する。
【０１２２】
画像形成装置１０００は、動作音低減部４２が有する調整値設定部４２２により、ＮＶＲＡＭ２２に前回調整値８２が保存されているか（存在するか）否かを判定する（ステップＳ３１０）。
【０１２３】
ステップＳ３１０において、前回調整値８２が保存されている（存在する）と判定された場合には（ステップＳ３１０：ＹＥＳ）、調整値設定部４２２が、ＮＶＲＡＭ２２から前回調整値８２を取得し（ステップＳ３１１）、センサボード１２に設定する（ステップＳ３１２）。
【０１２４】
一方、ステップＳ３１０において、前回調整値８２が保存されていない（デフォルト値８１のみ保存され存在しない）と判定された場合には（ステップＳ３１０：ＮＯ）、調整値設定部４２２が、ＮＶＲＡＭ２２から調整値のデフォルト値８１を取得し（ステップＳ３２０）、センサボード１２に設定する（ステップＳ３２１）。
【０１２５】
＜まとめ＞
以上のように、第２の実施形態に係る画像形成装置１０００によれば、時間帯判定部４１が、現在時刻及び設定時刻から動作音低減を実施する時間帯（静音モード有効期間）を判断する。続いて、画像形成装置１０００は、時間帯判定部４１による判断結果に基づき、動作音低減部４２が、調整値設定部４２２により、前回調整値８２又はデフォルト値８１をセンサボード１２に設定する。
【０１２６】
これによって、画像形成装置１０００では、動作音の発生原因である駆動デバイスＳを動作させることなく立ち上がり時の初期調整処理が行え、時間帯に応じて、電源投入時やシャットダウン復帰時などの機器立ち上がり時の動作音を低減できる。
【０１２７】
［第３の実施形態］
第３の実施形態では、立ち上がり時において、所定の調整間隔に従って再調整が必要か否かを判断し、再調整の必要がない場合に、前回調整値８２又はデフォルト値８１を用いて初期調整処理を行うことで、立ち上がり時の動作音を防ぐ。
【０１２８】
上記画像形成装置１０００が有する動作音低減機能について説明する。
【０１２９】
＜動作音低減機能＞
図１５は、第３の実施形態に係る画像形成装置１０００が有する機能構成例を示す図である。図１１と図１５とを比較して分かるように、第２の実施形態と第３の実施形態との機能構成の違いは、調整間隔判定部４３を有している点と、調整間隔判定部４３の判定結果に基づいて動作音低減部４２が機能する点である。よって、以下の説明では、上記相違点のみを説明する。
【０１３０】
図１５に示すように、調整間隔判定部４３は、時間帯判定部４１により、現在が動作音低減を実施する時間帯であると判定された場合、所定の調整間隔に従って再調整が必要か否かを判定する。調整間隔判定部４３は、まず予め設定しておいた再調整間隔日程（日付間隔）を取得する。例えば図１６に示すような画面から設定できる。
【０１３１】
図１６は、第３の実施形態に係る再調整間隔の設定画面例を示す図である。画像形成装置１０００では、操作部６１に、図１６に示すような設定画面が表示される。ユーザは、上記設定画面を介して、立ち上がり時の初期調整を再び行う間隔（再調整間隔）を設定する。設定間隔は、ＮＶＲＡＭ２２に保存される。図１６には、黒レベル・白レベルともに［７］日が、再調整間隔日程として設定されている例が示されている。
【０１３２】
続いて、調整間隔判定部４３は、図６のステップＳ２２及び図７のステップＳ４２に示す処理によりＮＶＲＡＭ２２に保存された前回調整を行ったときの前回調整日時を取得する。
【０１３３】
調整間隔判定部４３は、取得した再調整間隔日程及び前回調整日時から、前回から現在までの経過日時が、再調整間隔日程の期間内か否かに基づき、再調整が必要か否かを判定する。調整間隔判定部４３は、経過日時が再調整間隔日程の期間内であった場合、再調整が必要ないものと判定する。また、調整間隔判定部４３は、経過日時が再調整間隔日程の期間外であった場合、再調整が必要であるものと判定する。
【０１３４】
動作音低減部４２は、上記判定結果に基づいて、立ち上がり時の動作音を低減する。具体的には、動作音低減部４２は、時間帯判定部４１により、現在が動作音低減を実施する時間帯であると判定され、かつ、調整間隔判定部４３により、再調整が必要ないものと判定された場合に、動作音が低減する。
【０１３５】
このように、第３の実施形態に係る動作音低減機能は、上記各機能部が連係動作することにより実現される。
【０１３６】
次に、動作音低減機能の詳細な動作（機能部群の連係動作）について、処理手順を示すフローチャートを用いて説明する。
【０１３７】
動作音低減機能は、画像形成装置１０００に搭載（インストール）される動作音低減プログラム（ソフトウェア部品）が、制御ＣＰＵ２１により、格納先（例えば「ＲＯＭ」や「ＮＶＲＡＭ」など）からＲＡＭ上に読み出され、以下の処理が実行されることで実現される。
【０１３８】
図１７は、第３の実施形態に係る立ち上がり時の動作音を低減する処理手順例を示すフローチャートである。図１４に示す処理手順との違いは、調整間隔判定部４３が、再調整の要否を判定する点である。よって、以下の説明では、上記相違点のみを説明する。
【０１３９】
画像形成装置１０００は、時間帯判定部４１により、現在時刻Ｔ及び静音モードの設定時間帯（静音モード有効期間）に基づいて、現在時刻Ｔが静音モード有効期間内（Ｔ１＜Ｔ＜Ｔ２）であるか否かを判定する（ステップＳ４０５）。
【０１４０】
ステップＳ４０５において、現在時刻Ｔが静音モード有効期間外であると判定された場合には（ステップＳ４０５：ＮＯ）、通常モードの動作が実行される（ステップＳ４０６）。
【０１４１】
一方、ステップＳ４０５において、現在時刻Ｔが静音モード有効期間内であると判定された場合には（ステップＳ４０５：ＹＥＳ）、調整間隔判定部４３により、ＮＶＲＡＭ２２から再調整間隔日程を取得する（ステップＳ４１０）。
【０１４２】
続いて、画像形成装置１０００は、調整間隔判定部４３により、ＮＶＲＡＭ２２に前回調整日時の値が保存されているか（存在するか）否かを判定する（ステップＳ４１１）。
【０１４３】
ステップＳ４１１において、前回調整日時の値が保存されている（存在する）と判定された場合には（ステップＳ４１１：ＹＥＳ）、調整間隔判定部４３が、ＮＶＲＡＭ２２から前回調整日時の値を取得する（ステップＳ４１２）。
【０１４４】
画像形成装置１０００は、調整間隔判定部４３により、再調整間隔日程及び前回調整日時に基づいて、前回から現在までの経過日時が再調整間隔の期間内であるか否かを判定する（ステップＳ４１３）。つまり、再調整の要否判定が行われる。
【０１４５】
ステップＳ４１３において、経過日時が再調整間隔の期間内であり、再調整が必要ないと判定された場合には（ステップＳ４１３：ＮＯ）、動作音低減部４２が有する調整値設定部４２２により、ＮＶＲＡＭ２２に前回調整値８２が保存されているか（存在するか）否かを判定する（ステップＳ４１４）。
【０１４６】
ステップＳ４１４において、前回調整値８２が保存されている（存在する）と判定された場合には（ステップＳ４１４：ＹＥＳ）、調整値設定部４２２が、ＮＶＲＡＭ２２から前回調整値８２を取得し（ステップＳ４１５）、センサボード１２に設定する（ステップＳ４１６）。
【０１４７】
一方、ステップＳ４１４において、前回調整値８２が保存されていない（デフォルト値８１のみ保存され存在しない）と判定された場合には（ステップＳ４１４：ＮＯ）、調整値設定部４２２が、ＮＶＲＡＭ２２から調整値のデフォルト値８１を取得し（ステップＳ４２０）、センサボード１２に設定する（ステップＳ４２１）。
【０１４８】
また、ステップＳ４１３において、経過日時が再調整間隔の期間外であり、再調整が必要あると判定された場合には（ステップＳ４１３：ＹＥＳ）、通常モードの動作が実行される（ステップＳ４０６）。
【０１４９】
また、ステップＳ４１１において、前回調整日時の値が保存されていない（存在しない）と判定された場合には（ステップＳ４１１：ＮＯ）、同様に前回調整値８２も保存されていないことから、調整値設定部４２２により、ステップＳ４２０及びＳ４２１の各処理手順が実行される。
【０１５０】
＜まとめ＞
以上のように、第３の実施形態に係る画像形成装置１０００によれば、時間帯判定部４１が、現在時刻及び設定時刻から動作音低減を実施する時間帯（静音モード有効期間）を判断する。画像形成装置１０００は、さらに、調整間隔判定部４３が、前回から現在までの経過日時及び再調整日程の期間から再調整の要否を判断する。画像形成装置１０００では、静音モード有効期間内で、かつ再調整の必要がないと判断された場合に、動作音低減部４２が、調整値設定部４２２により、前回調整値８２又はデフォルト値８１をセンサボード１２に設定する。
【０１５１】
これによって、画像形成装置１０００では、動作音の発生原因である駆動デバイスＳを動作させることなく立ち上がり時の初期調整処理が行え、時間帯及び再調整の要否に応じて、電源投入時やシャットダウン復帰時などの機器立ち上がり時の動作音を低減できる。
【０１５２】
ここまで、上記実施形態の説明を行ってきたが、上記実施形態に係る画像形成装置１０００が有する「動作音低減機能」は、図を用いて説明を行った各処理手順を、動作環境（プラットフォーム）にあったプログラミング言語でコード化したプログラムが、制御ＣＰＵ２１により実行されることで実現する。
【０１５３】
上記プログラムは、コンピュータが読み取り可能な記録媒体７１に格納することができる。記録媒体７１には、例えばＳＤメモリカード（SD Memory Card）及びＵＳＢ（Universal Serial Bus）メモリなどがある。
【０１５４】
よって、上記プログラムは、記録媒体７１に格納させることにより、外部記憶Ｉ／Ｆ５４などを介してコントローラ５０内へと読み取られ、画像形成装置１０００にインストールすることができる。また、画像形成装置１０００は、ネットワークＩ／Ｆ５３を備えていることから、電気通信回線を介して上記プログラムをコントローラ５０にダウンロードし、インストールすることもできる。
【０１５５】
また、上記各実施形態では、駆動デバイスＳの速度調整（速度調整部４２１）又は初期調整の設定（調整値設定部４２２）により動作音の低減を行う動作音低減部４２について説明を行ったが、この限りでない。例えば、動作音低減部４２が、速度調整部４２１及び調整値設定部４２２の両方を有し、切り換え制御が行える構成であってもよい。この場合、動作音低減部４２は、動作音低減を実施する時間帯において低減レベルを段階的に判断し、判断結果を基に両機能部を切り換え制御する。切り換え制御の例としては、日中、動作音を低減したい場合に、速度調整部４２１を機能させ、夜間、動作音をさせたくない場合には、調整値設定部４２２を機能させるなどが挙げられる。
【０１５６】
最後に、上記実施形態に挙げた形状や構成に、その他の要素との組み合わせなど、ここで示した要件に、本発明が限定されるものではない。これらの点に関しては、本発明の主旨をそこなわない範囲で変更することが可能であり、その応用形態に応じて適切に定めることができる。
【符号の説明】
【０１５７】
３        ファン
８        モータ
１５，１６  キャリッジ
２１      制御ＣＰＵ
２２      ＮＶＲＡＭ
２３      モータドライバ
２４      画像処理部
２６      ＣＣＤ
２７      信号処理部
２８      ＣＰＵＩ／Ｆ
２９      タイミングジェネレータ
３０      ドライバ
３１      ランダムロジック＆ディレイライン
４１      時間帯判定部
４２      動作音低減部
４２１    速度調整部
４２２    調整値設定部
５０      コントローラ
５１      ＣＰＵ
５２      記憶装置（ＲＯＭ，ＲＡＭ，ＨＤＤなど）
５３      ネットワークＩ／Ｆ（ＮＩＣ：Network I/F Card）
５４      外部記憶Ｉ／Ｆ
６１      操作部
６２      プロッタ部
７１      記録媒体
８１      デフォルト値
８２      前回調整値
１００    ＡＳＦ（Auto Sheet Feeder）
１０１    スキャナ部
１０２    プロセス部
１０３    書き込み部
１０４    排紙部
１０５    給紙トレイ
１０６    ＬＣＴ（Large Capacity Tray）
１０００  画像形成装置
【先行技術文献】
【特許文献】
【０１５８】
【特許文献１】特開２００８−２２５３２１号公報
【図１】
2010213003.tif 000003
【図２】
2010213003.tif 000004
【図３】
2010213003.tif 000005
【図４】
2010213003.tif 000006
【図５】
2010213003.tif 000007
【図６】
2010213003.tif 000008
【図７】
2010213003.tif 000009
【図８】
2010213003.tif 000010
【図９】
2010213003.tif 000011
【図１０】
2010213003.tif 000012
【図１１】
2010213003.tif 000013
【図１２】
2010213003.tif 000014
【図１３】
2010213003.tif 000015
【図１４】
2010213003.tif 000016
【図１５】
2010213003.tif 000017
【図１６】
2010213003.tif 000018
【図１７】
2010213003.tif 000019